(57)【特許請求の範囲】
【請求項１】
空気温度調節用冷媒回路と、給湯用冷媒回路と、空気温度調節用冷媒回路及び給湯用冷媒回路を循環する冷媒と熱交換を行って蓄熱する熱媒体としての水を循環させる熱媒体回路とを備えた空調給湯システムに用いられ、前記空気温度調節用冷媒回路を循環する冷媒と、前記給湯用冷媒回路を循環する冷媒と、前記熱媒体回路を循環する熱媒体としての水との間で熱交換を行う中間熱交換器であって、
前記中間熱交換器を、外管と複数本の内管にて構成し、前記外管を前記熱媒体回路に配管接続される第１の伝熱管とし、前記複数本の内管のうち所定本数の内管を前記空気温度調節用冷媒回路に配管接続される第２の伝熱管とし、残りの内管を前記給湯用冷媒回路に配管接続される第３の伝熱管とするともに、前記第２の伝熱管と前記第３の伝熱管とは接合され、
前記複数本の内管は、前記外管の中心軸方向に直交する断面において、互いに隣り合う４本の前記内管の断面中心を直線で結んだ図形が四角形を形成するように配列され、かつ、前記第２の伝熱管を構成する前記内管の断面中心と前記第３の伝熱管を構成する前記内管の断面中心とが前記四角形の対角に位置するように配列されており、互いに隣り合う前記内管は接合されていることを特徴とする中間熱交換器。
【請求項２】
請求項１の記載において、前記四角形の対角に位置する前記内管同士は互いに間隔を空けて配列されていることを特徴とする中間熱交換器。
【請求項３】
空気温度調節用冷媒回路と、給湯用冷媒回路と、空気温度調節用冷媒回路及び給湯用冷媒回路を循環する冷媒と熱交換を行って蓄熱する熱媒体としての水を循環させる熱媒体回路とを備えた空調給湯システムに用いられ、前記空気温度調節用冷媒回路を循環する冷媒と、前記給湯用冷媒回路を循環する冷媒と、前記熱媒体回路を循環する熱媒体としての水との間で熱交換を行う中間熱交換器であって、
前記中間熱交換器を、外管と複数本の内管にて構成し、前記外管を前記熱媒体回路に配管接続される第１の伝熱管とし、前記複数本の内管のうち所定本数の内管を前記空気温度調節用冷媒回路に配管接続される第２の伝熱管とし、残りの内管を前記給湯用冷媒回路に配管接続される第３の伝熱管とするともに、前記第２の伝熱管と前記第３の伝熱管とは接合され、
前記複数本の内管は、前記外管の中心軸方向に直交する断面において、互いに隣り合う３本の前記内管の断面中心を直線で結んだ図形が三角形を形成するように配列されるとともに、互いに隣り合う前記３本の内管には、前記第２の伝熱管を構成する内管と前記第３の伝熱管を構成する内管とが含まれ、
隣り合う前記第２の伝熱管を構成する前記内管と前記第３の伝熱管を構成する前記内管とは接合され、
隣り合う前記第２の伝熱管を構成する前記内管同士、または隣り合う前記第３の伝熱管を構成する前記内管同士は、間隔を空けて配列されることを特徴とする中間熱交換器。
【請求項４】
請求項１〜３の何れか一項の記載において、前記内管の接合は、ロウ付けによってなされることを特徴とする中間熱交換器。
【請求項５】
請求項１〜３の何れか一項の記載において、前記内管の接合は、前記複数本の内管をまとめてバンドで結束することによりなされることを特徴とする中間熱交換器。
【請求項６】
請求項１〜５の何れか一項の記載において、前記複数本の内管は円管であることを特徴とする中間熱交換器。
【請求項７】
請求項１〜５の何れか一項の記載において、前記複数本の内管は矩形管であることを特徴とする中間熱交換器。
【請求項８】
請求項１の記載において、前記複数本の内管は一体成型されていることと特徴とする中間熱交換器。
【請求項９】
請求項１〜８の何れか一項の記載において、前記複数本の内管は、径の大きさが異なることを特徴とする中間熱交換器。
【請求項１０】
請求項１〜９の何れか一項の記載において、前記中間熱交換器の、前記空気温度調節用冷媒回路の高圧側冷媒と、前記給湯用冷媒回路の低圧側冷媒とが熱交換をおこなう場合には、前記空気温度調節用冷媒回路を流れる冷媒と、前記給湯用冷媒回路を流れる冷媒とが、対向流となることを特徴とする中間熱交換器。
【請求項１１】
請求項１〜１０の何れか一項の記載において、前記中間熱交換器の、前記空気温度調節用冷媒回路の低圧側冷媒と、前記給湯用冷媒回路の低圧側冷媒と、前記熱媒体回路の冷温水とが熱交換をおこなう場合には、前記熱媒体回路の冷温水に対し、前記空気温度調節用冷媒回路の低圧側冷媒と前記給湯用冷媒回路の低圧側冷媒が、対向流となることを特徴とする中間熱交換器。
【請求項１２】
空気温度調節用冷媒回路と、給湯用冷媒回路と、空気温度調節用冷媒回路及び給湯用冷媒回路を循環する冷媒と熱交換を行って蓄熱する熱媒体を循環させる熱媒体回路とを備えた空調給湯システムであって、
請求項１〜１１の何れか一項に記載の中間熱交換器を組み込んだことを特徴とする空調給湯システム。
【発明の詳細な説明】
【技術分野】
【０００１】
本発明は、中間熱交換器及びそれを用いた空調給湯システムに係り、特に、冷房と暖房とを切替えて行う空気温度調節用冷媒回路と、貯湯を行う給湯用冷媒回路とが中間熱交換器を介して接続されて二元冷凍サイクルを備える空調給湯システムに好適な中間熱交換器およびそれを用いた空調給湯システムである。
【背景技術】
【０００２】
空調機と給湯機の省エネ性を向上させることを目的に、給湯用冷媒回路と空気温度調節用冷媒回路とを組み合わせた空調給湯システムとして、たとえば特許文献１と特許文献２に開示されるものがある。これは給湯用冷媒回路と、空気温度調節用冷媒回路と、空気温度調節用冷温水回路とを備え、給湯用冷媒回路と空気温度調節用冷媒回路が、空気温度調節用冷温水回路内に設けられた水熱交換器（中間熱交換器）を介して熱交換する装置である。ここで用いられる水熱交換器は、外管と複数本の内管で構成され、所定本数の内管を空気温度調節用冷媒回路用、残りの内管を給湯用冷媒回路用とすると共に、外管と内管の隙間に空気温度調節用冷温水回路の冷温水を流通させる構成である。
【０００３】
これによると、給湯用冷媒回路と空気温度調節用冷媒回路とが冷温水を介して熱交換関係に配置されているため、給湯用冷媒回路の蒸発圧力が水熱源のために空気熱源のようには低くならずに効率よく高温出湯を可能とし、あわせて冷暖房も可能としている。
【先行技術文献】
【特許文献】
【０００４】
【特許文献１】特開昭６０−２４８９６３号公報
【特許文献２】特開昭６０−２４８９６５号公報
【発明の概要】
【発明が解決しようとする課題】
【０００５】
しかしながら従来技術の空調給湯システムでは、例えば冷房運転中に給湯運転をおこなう場合、一定時間冷房運転したのち、暖房運転に切り替えてバックアップ加熱運転が必要となる等、給湯と空調とを任意に同時運転することができないという利便性上の課題があった。また、暖房運転中に給湯運転をおこなう場合には、空気温度調節用回路において、暖房に必要な熱量よりも多くの熱を汲み上げ、汲み上げた熱量の一部を給湯用冷媒回路に用いる方式をとっている。そのため、給湯負荷や空調負荷の大きい場合には、給湯機と空調機とを一つのシステムにすることにより、かえって性能を低下する虞があった。このように、従来技術の空調給湯システムは近年機器の一層の省エネ化が要求されることにおいて、未だ改善の余地があった。
【０００６】
本発明はかかる点に鑑みてなされたものであり、その目的とするところは、空気温度調節用冷媒回路と給湯用冷媒回路とを熱交換関係に配置することにおいて、合理的な構造の熱交換器を介することにより、利便性の向上と一層の省エネ化とを可能にする点にある。
【課題を解決するための手段】
【０００７】
上記した課題を解決するために、本発明は、空気温度調節用冷媒回路と、給湯用冷媒回路と、空気温度調節用冷媒回路及び給湯用冷媒回路を循環する冷媒と熱交換を行って蓄熱する熱媒体としての水を循環させる熱媒体回路とを備えた空調給湯システムに用いられ、前記空気温度調節用冷媒回路を循環する冷媒と、前記給湯用冷媒回路を循環する冷媒と、前記熱媒体回路を循環する熱媒体としての水との間で熱交換を行う中間熱交換器であって、前記中間熱交換器を、外管と複数本の内管にて構成し、前記外管を前記熱媒体回路に配管接続される第１の伝熱管とし、前記複数本の内管のうち所定本数の内管を前記空気温度調節用冷媒回路に配管接続される第２の伝熱管とし、残りの内管を前記給湯用冷媒回路に配管接続される第３の伝熱管とするともに、前記第２の伝熱管と前記第３の伝熱管とは接合され、前記複数本の内管は、前記外管の中心軸方向に直交する断面において、互いに隣り合う４本の前記内管の断面中心を直線で結んだ図形が四角形を形成するように配列され、かつ、前記第２の伝熱管を構成する前記内管の断面中心と前記第３の伝熱管を構成する前記内管の断面中心とが前記四角形の対角に位置するように配列されており、互いに隣り合う前記内管は接合されていることを特徴とするものである。
【０００８】
ここで、本発明における「接合」とは、熱交換可能に接合されているという意である。言い換えると、絶縁体を介して内管同士が接合されている場合は本発明には含まれない。また、内管と内管を接合した部分を介して、内管を流れる流体間で熱交換が行われるようになっている限り、本発明では、あらゆる接合方法を用いても構わない。例えば、本発明では、機械的な接合（ネジ止めやバンドで結束するなど）、冶金的な接合（溶接の一種であるロウ付けや圧接などによる接合など）の方法を用いることができる。
【０００９】
また、本発明の「第２の伝熱管と第３の伝熱管とが接合される」という構成には、第２の伝熱管を構成する内管の少なくとも１本と、前記第３の伝熱管を構成する内管の少なくとも１本とが接合している構成が含まれる。
【００１１】
また、本発明の中間熱交換器は、上記構成において、前記四角形の対角に位置する前記内管同士は互いに間隔を空けて配列されていることが好ましい。
【００１２】
また、上記した課題を解決するために、本発明は、空気温度調節用冷媒回路と、給湯用冷媒回路と、空気温度調節用冷媒回路及び給湯用冷媒回路を循環する冷媒と熱交換を行って蓄熱する熱媒体としての水を循環させる熱媒体回路とを備えた空調給湯システムに用いられ、前記空気温度調節用冷媒回路を循環する冷媒と、前記給湯用冷媒回路を循環する冷媒と、前記熱媒体回路を循環する熱媒体としての水との間で熱交換を行う中間熱交換器であって、前記中間熱交換器を、外管と複数本の内管にて構成し、前記外管を前記熱媒体回路に配管接続される第１の伝熱管とし、前記複数本の内管のうち所定本数の内管を前記空気温度調節用冷媒回路に配管接続される第２の伝熱管とし、残りの内管を前記給湯用冷媒回路に配管接続される第３の伝熱管とするともに、前記第２の伝熱管と前記第３の伝熱管とは接合され、前記複数本の内管は、前記外管の中心軸方向に直交する断面において、互いに隣り合う３本の前記内管の断面中心を直線で結んだ図形が三角形を形成するように配列されるとともに、互いに隣り合う前記３本の内管には、前記第２の伝熱管を構成する内管と前記第３の伝熱管を構成する内管とが含まれ、隣り合う前記第２の伝熱管を構成する前記内管と前記第３の伝熱管を構成する前記内管とは接合され、隣り合う前記第２の伝熱管を構成する前記内管同士、または隣り合う前記第３の伝熱管を構成する前記内管同士は、間隔を空けて配列されることを特徴とするものである。
【００１４】
また、本発明の中間熱交換器は、上記構成において、前記内管の接合は、ロウ付けによってなされることが好ましい。
【００１５】
また、本発明の中間熱交換器は、上記構成において、前記内管の接合は、前記複数本の内管をまとめてバンドで結束することによりなされることが好ましい。
【００１７】
また、本発明の中間熱交換器は、上記構成において、前記複数本の内管は円管であることが好ましい。
【００１８】
また、本発明の中間熱交換器は、上記構成において、前記複数本の内管は矩形管であることが好ましい。
【００１９】
また、本発明の中間熱交換器は、上記構成において、前記複数本の内管は一体成型されていることが好ましい。
【００２０】
また、本発明の中間熱交換器は、上記構成において、前記複数本の内管は、径の大きさが異なることが好ましい。
【００２１】
また、本発明の中間熱交換器は、上記構成において、前記中間熱交換器の、前記空気温度調節用冷媒回路の高圧側冷媒と、前記給湯用冷媒回路の低圧側冷媒とが熱交換をおこなう場合には、前記空気温度調節用冷媒回路を流れる冷媒と、前記給湯用冷媒回路を流れる冷媒とが、対向流となることが好ましい。
【００２２】
また、本発明の中間熱交換器は、上記構成において、前記中間熱交換器の、前記空気温度調節用冷媒回路の低圧側冷媒と、前記給湯用冷媒回路の低圧側冷媒と、前記熱媒体回路の冷温水とが熱交換をおこなう場合には、前記熱媒体回路の冷温水に対し、前記空気温度調節用冷媒回路の低圧側冷媒と前記給湯用冷媒回路の低圧側冷媒が、対向流となることが好ましい。
【００２３】
また、本発明は、空気温度調節用冷媒回路と、給湯用冷媒回路と、空気温度調節用冷媒回路及び給湯用冷媒回路を循環する冷媒と熱交換を行って蓄熱する熱媒体を循環させる熱媒体回路とを備えた空調給湯システムであって、上記した構成を有する中間熱交換器を組み込んだことを特徴としている。
【発明の効果】
【００２４】
本発明によれば、空調機と給湯機を任意に同時運転することが可能である。また空調・給湯負荷の大小にかかわらず、省エネ効果を高めることができる。また、空調や給湯の熱源として、太陽熱や地熱等の自然エネルギ（再生可能エネルギ）を利用することができるため、空調給湯システムの省エネ性をさらに高めることができる。
【図面の簡単な説明】
【００２５】
【図１】本発明の第１の実施例に係る空調給湯システムの系統図である。
【図２】本発明の第１の実施例に係る運転モードの状態表である。
【図３】本発明の第１の実施例に係る図２の運転モードＮｏ．１−０の冷媒、水およびブラインの流れを示す系統図である。
【図４】本発明の第１の実施例に係る図２の運転モードＮｏ．１−１の冷媒、水およびブラインの流れを示す系統図である。
【図５】本発明の第１の実施例に係る図２の運転モードＮｏ．２−０ａの冷媒、水およびブラインの流れを示す系統図である。
【図６】本発明の第１の実施例に係る図２の運転モードＮｏ．２−０ｂの冷媒、水およびブラインの流れを示す系統図である。
【図７】本発明の第１の実施例に係る図２の運転モードＮｏ．２−１の冷媒、水およびブラインの流れを示す系統図である。
【図８】本発明の第１の実施例に係る図２の運転モードＮｏ．２−２の冷媒、水およびブラインの流れを示す系統図である。
【図９】本発明の第１の実施例に係る図２の運転モードＮｏ．３−０の冷媒および水の流れを示す系統図である。
【図１０】本発明の第１の実施例に係る図２の運転モードＮｏ．３−１の冷媒、水およびブラインの流れを示す系統図である。
【図１１】本発明の第１の実施例に係る図２の運転モードＮｏ．４−０の冷媒およびブラインの流れを示す系統図である。
【図１２】本発明の第１の実施例に係る図２の運転モードＮｏ．４−１の冷媒およびブラインの流れを示す系統図である。
【図１３】本発明の第１の実施例に係る図２の運転モードＮｏ．５−０の冷媒およびブラインの流れを示す系統図である。
【図１４】本発明の第１の実施例に係る図２の運転モードＮｏ．５−１の冷媒およびブラインの流れを示す系統図である。
【図１５】本発明の第１の実施例に係る中間熱交換器を、平面図の形態で示す説明図である。
【図１６】本発明の第１の実施例に係る中間熱交換器の、図１５のＡ−Ａ’における断面図である。
【図１７】本発明の第１の実施例に係る中間熱交換器の端部を縦方向に切断して示す、図１６のＢ−Ｂ’における断面図である。
【図１８】本発明の第２の実施例に係る中間熱交換器の、図１５のＡ−Ａ’における断面図である。
【図１９】本発明の第３の実施例に係る中間熱交換器の、図１５のＡ−Ａ’における断面図である。
【図２０】本発明の第４の実施例に係る中間熱交換器の、図１５のＡ−Ａ’における断面図である。
【図２１】本発明の第５の実施例に係る中間熱交換器の、図１５のＡ−Ａ’における断面図である。
【図２２】本発明の第６の実施例に係る中間熱交換器の、図１５のＡ−Ａ’における断面図である。
【図２３】本発明の第７の実施例に係る中間熱交換器の、図１５のＡ−Ａ’における断面図である。
【発明を実施するための形態】
【００２６】
以下、本発明に係る空調給湯システム及びヒートポンプユニットの第１の実施例を、図１から図１４を用いて説明する。なお、図１および図３〜図１４はサイクルの系統図を示したものであり、冷媒やブラインの配管接続される構成機器内での流れを示したものではない。
【００２７】
本実施例に係る空調給湯システム１００は、図１に示すように、空気温度調節用冷媒回路５と、給湯用冷媒回路６と、空気温度調節用冷媒回路５及び給湯用冷媒回路６を循環する冷媒と熱交換を行って温熱又は冷熱を蓄熱する熱媒体を循環させる熱媒体回路７とを備え、前記空気温度調節用冷媒回路５を循環する冷媒と、給湯用冷媒回路６を循環する冷媒と、熱媒体回路７を循環する熱媒体との間で熱交換を行う中間熱交換器２３を有する。
【００２８】
以下、具体的に説明する。図１は空調給湯システム１００の系統図である。空調給湯システム１００は室外に配置されるヒートポンプユニット１と、室内に配置される室内ユニット２と、室外に配置される給湯・蓄熱タンクユニット３と、室外に配置される太陽熱集熱器４とを備える。また、空調給湯システム１００は冷房と暖房を切替えて行う空気温度調節用冷媒回路５と、給湯のための運転を行う給湯用冷媒回路６と、温冷熱源を用いて放熱又は採熱を行う熱媒体回路７と、空気温度調節用熱媒体回路８ａ、８ｂと、給湯回路９と、太陽熱集熱用熱媒体回路１０、出湯経路１１とを備える。前記熱媒体回路７を循環する熱媒体は、太陽熱集熱器４において得られる熱によって加熱される。
【００２９】
なお、空気温度調節用冷媒回路５と給湯用冷媒回路６とは、冷凍サイクルの熱の温度レベルを考慮して、低温側冷媒回路及び高温側冷媒回路と称することができる。
【００３０】
前記ヒートポンプユニット１は、圧縮機２１と利用側熱交換器２８とを有する空気温度調節用冷媒回路５と、圧縮機４１と利用側熱交換器４２とを有する給湯用冷媒回路６とを備え、空気温度調節用冷媒回路５と給湯用冷媒回路６との間には中間熱交換器２３が配置され、前記中間熱交換器２３には、空気温度調節用冷媒回路５及び給湯用冷媒回路６を循環する冷媒と熱交換する熱媒体が導入され、前記中間熱交換器２３において、前記空気温度調節用冷媒回路５を循環する冷媒と、給湯用冷媒回路６を循環する冷媒と、前記熱媒体との間で熱交換を行うものである。
【００３１】
空気温度調節用冷媒回路５は、空気温度調節用冷媒を圧縮して高温の冷媒とする圧縮機２１と、冷房運転と暖房運転とで空気温度調節用冷媒の流れ方向を切替える四方弁２２と、給湯用冷媒回路６の給湯用冷媒及び熱媒体回路７の熱媒体との熱交換を行う中間熱交換器２３の空気温度調節用冷媒伝熱管２３ａと、中間熱交換器２３と直列に配置された空気温度調節用冷媒を減圧する減圧装置としての膨張弁２４と、中間熱熱交換器２３と並列に配置され、ファン２６により送られてくる室外空気との熱交換を行う空気温度調節用空気熱交換器２５と、空気温度調節用空気熱交換器２５と直列に配置された空気温度調節用冷媒を減圧する減圧装置としての膨張弁２７と、空気温度調節用熱媒体回路８ａの熱媒体との熱交換を行う利用側熱交換器２８の空気温度調節用冷媒伝熱管２８ａとを環状に空気温度調節用冷媒管路で接続して構成されている。
【００３２】
空気温度調節用冷媒回路５の冷媒としては、例えば、地球温暖化係数が小さい自然冷媒であるＲ２９０（プロパン）が用いられるが、これに限定されるものではない。
【００３３】
圧縮機２１は、容量制御が可能な可変容量型圧縮機である。このような圧縮機としては、ピストン式、ロータリー式、スクロール式、スクリュー式、遠心式のものを採用可能である。具体的には、圧縮機２１は、スクロール式の圧縮機であり、インバータ制御により容量制御が可能で、低速から高速まで回転速度が可変である。
【００３４】
中間熱交換器２３は、空気温度調節用冷媒伝熱管２３ａと、給湯用冷媒伝熱管２３ｂと、熱媒体伝熱管２３ｃとがお互いに熱的に接触するように一体に構成されている三流体熱交換器である。また、利用側熱交換器２８は、空気温度調節用冷媒伝熱管２８ａと、空気温度調節用熱媒体伝熱管２８ｂとが熱的に接触するように構成されている。膨張弁２４、２７は、中間熱交換器２３と空気温度調節用空気熱交換器２５との冷媒流量比率の調整を行う。
【００３５】
なお、膨張弁２４、２７は、中間熱交換器２３及び空気温度調節用空気熱交換器２５が設けられる配管における冷媒の流量比率を変更するために用いられるものであるが、配管が中間熱交換器２３及び空気温度調節用空気熱交換器２５が設けられる配管に分岐する分岐部分に三方弁を設けるものであってもよい。
【００３６】
空気温度調節用熱媒体回路８ａは、空気温度調節用冷媒回路５の利用側熱交換器２８の空気温度調節用熱媒体伝熱管２８ｂと、空気温度調節用冷媒回路側の往き配管２９と、空気温度調節用往き配管３０と、室内空気との熱交換を行う室内ユニット２内に設置された室内熱交換器３１と、空気温度調節用熱媒体循環ポンプ３３、空気温度調節用熱媒体流量センサ３６を含む空気温度調節用戻り配管３２と、開閉弁３５ａを含む空気温度調節用冷媒回路側の戻り配管３４とを環状に接続して構成されている。
【００３７】
循環ポンプ３３は回路８ａ内に熱媒体を循環させるポンプであり、流量センサ３６は熱媒体の流量を検知するセンサである。開閉弁３５ａは、後述の開閉弁３５ｂと共に、空気温度調節用熱媒体回路８ａと、後述の空気温度調節用熱媒体回路８ｂとの切替えを行う。
【００３８】
ここで、空気温度調節用熱媒体回路８ｂは、蓄熱タンク６０内の水の温度が、室内熱交換器３１で暖房を行うのに十分高い場合、利用される。このとき、空気温度調節用冷媒回路５を動作させないので、エネルギ効率を高く維持することができる。
【００３９】
なお、開閉弁３５ａ及び開閉弁３５ｂをそれぞれ設ける代わりに、空気温度調節用戻り配管３２と第２戻り配管７２ｂと配管３４との接続部分に三方弁を設けるものであってもよい。
【００４０】
給湯用冷媒回路６は、給湯用冷媒を圧縮して高温の冷媒とする圧縮機４１と、高温となった給湯用冷媒と給湯回路９の水との熱交換を行う利用側熱交換器４２の給湯用冷媒伝熱管４２ａと、給湯用冷媒を減圧する減圧装置としての膨張弁４３と、空気温度調節用冷媒回路５の空気温度調節用冷媒及び熱媒体回路７の熱媒体との熱交換を行い、低温低圧の給湯用冷媒を蒸発させる中間熱交換器２３の給湯用冷媒伝熱管２３ｂと、膨張弁４３と並列に配置された給湯用冷媒を減圧する減圧装置としての膨張弁４４と、膨張弁４４と直列に配置され、ファン４６により送られてくる室外空気との熱交換を行い、低温低圧の冷媒を蒸発させる給湯用空気熱交換器４５とを環状に給湯用冷媒管路で接続して構成される。
【００４１】
給湯用冷媒回路６の冷媒としては、例えば、地球温暖化係数が小さいＨＦＯ１２３４ｙｆが用いられるが、これに限定されるものではない。冷媒としてＨＦＯ１２３４ｙｆは低圧冷媒であるため、これを用いた場合、配管の肉厚を薄くできるという利点がある。
【００４２】
圧縮機４１は、圧縮機２１と同様にインバータ制御により容量制御が可能で、低速から高速まで回転速度が可変である。利用側熱交換器４２は、給湯用冷媒伝熱管４２ａと、給湯用水伝熱管４２ｂとが接触するように構成されている。膨張弁４３、４４は、中間熱交換器２３と給湯用空気熱交換器４５との冷媒流量比率の調整を行う。
【００４３】
なお、膨張弁４３、４４は、中間熱交換器２３及び給湯用空気熱交換器４５が設けられる配管における冷媒の流量比率を変更するために用いられるものであるが、配管が中間熱交換器２３及び給湯用空気熱交換器４５が設けられる配管に分岐する分岐部分に三方弁を設けるものであってもよい。
【００４４】
給湯回路９は、給湯タンク５０の下部と、給湯用水循環ポンプ５２、給湯用水流量センサ５４を含む給湯用往き配管５１と、給湯用冷媒回路６の利用側熱交換器４２の給湯用水伝熱管４２ｂと、給湯用戻り配管５３とを環状に接続して構成される。循環ポンプ５２は回路９内に水を循環させるポンプ、流量センサ５４は水の流量を検知するセンサである。そして、給湯タンク５０には、温水が貯湯される。
【００４５】
太陽熱集熱用熱媒体回路１０は、蓄熱タンク６０内の水への放熱を行うタンク内第１熱交換器６１と、太陽熱集熱用熱媒体循環ポンプ６３を含む太陽熱集熱用往き配管６２と、太陽熱集熱器４と、太陽熱集熱用戻り配管６４とを環状に接続して構成されている。
【００４６】
太陽熱集熱器４は、太陽熱により熱媒体を加熱する。循環ポンプ６３は回路１０内に熱媒体を循環させるポンプである。
【００４７】
熱媒体回路７は、蓄熱タンク６０内の水からの採熱又は水への放熱を行うタンク内第２熱交換器７０と、第１往き配管７１ａと、空気温度調節用冷媒回路５の空気温度調節用冷媒及び給湯用冷媒回路６の給湯用冷媒との熱交換を行う中間熱交換器２３の熱媒体伝熱管２３ｃと、循環ポンプ７３を含む第１戻り配管７２ａとを環状に接続して構成されている。また、第１往き配管７１ａと戻り配管７２ａとの間を接続する、バイパス弁７５を含むバイパス配管７４を備える。
【００４８】
バイパス弁７５は、戻り配管７２ａ内の中間熱交換器２３で温度変化した熱媒体の一部をバイパス配管７４にバイパスして、タンク内第２熱交換器７０において蓄熱タンク６０内の水からの採熱又は水への放熱を行った熱媒体に混合し、所望の温度の熱媒体を中間熱交換器２３へ供給する。
【００４９】
なお、熱媒体を適温に調整して利用する方法としては、バイパスを設けるものに限定されるものではない。例えば、ポンプ７３として流量可変のものを利用し、該ポンプの流速を調整することにより、吸熱量・放熱量を変化させるものであってもよい。
【００５０】
空気温度調節用熱媒体回路８ａとの切替えを行う空気温度調節用熱媒体回路８ｂは、蓄熱タンク６０内の水からの採熱又は水への放熱を行うタンク内第２熱交換器７０と、第２往き配管７１ｂと、空気温度調節用往き配管３０、室内空気との熱交換を行う室内ユニット２内に設置された室内熱交換器３１と、空気温度調節用熱媒体循環ポンプ３３、流量センサ３６を含む空気温度調節用戻り配管３２と、開閉弁３５ｂを含む第２戻り配管７２ｂとを環状に接続して構成されている。また、第２往き配管７１ｂと戻り配管７２ｂとの間を接続する、バイパス弁８１を含むバイパス配管８０を備える。
【００５１】
バイパス弁８１は、バイパス弁７５と同様に、戻り配管７２ｂ内の室内熱交換器３１で温度変化した熱媒体の一部をバイパス配管８０にバイパスして、タンク内第２熱交換器７０において蓄熱タンク６０内の水からの採熱又は水への放熱を行った熱媒体に混合し、所望の温度の熱媒体を室内熱交換器３１へ供給する。
【００５２】
出湯経路１１は、給湯タンク５０と、蓄熱タンク６０と、給湯・蓄熱タンクユニット３の外部の上水道と接続される給水金具９０と、この給水金具９０と給湯タンク５０下部とを接続する給水管９１と、この給水管９１と蓄熱タンク６０下部とを接続する第１の給水分岐管９２と、第１給湯混合弁９５及び第２給湯混合弁９７を含む給湯管９３と、この給湯管９３と接続され外部の給湯端末と接続される給湯金具９８と、給湯タンク６０上部と給湯混合弁９５とを接続する出湯管９４と、給水管９１と第２給湯混合弁９７とを接続する第２の給水分岐管９６とを備える。なお、蓄熱タンクは、蓄熱という機能から見た場合、出湯経路１１と接続されず、独立して設けられるものであってもよい。
【００５３】
給湯混合弁９５は、給湯タンク５０内の湯と蓄熱タンク７０内の湯とを混合し、給湯混合弁９７は、給湯混合弁９５で混合された湯と第２の給水分岐管９６からの水とを混合し、所望の温度の水を給湯金具９８から供給する。
【００５４】
空調給湯システム１００には複数の温度センサを備えている。例えば、空気温度調節用熱媒体回路８ａには、空気温度調節用冷媒回路５の利用側熱交換器２８の空気温度調節用熱媒体伝熱管２８ｂの入口と出口の温度を検知する温度センサ３７，３８を備える。また、利用側熱交換器２８の空気温度調節用冷媒伝熱管２８ａに冷媒温度を検知する温度センサ３９を備える。さらに、給湯回路９には、給湯用冷媒回路６の利用側熱交換器４２の給湯用水伝熱管４２ｂの入口と出口の温度を検知する温度センサ５５，５６を備える。さらにまた、給湯用冷媒回路６の利用側熱交換器４２の給湯用冷媒伝熱管４２ａに冷媒温度を検知する温度センサ５７を備え、中間熱交換器２３の給湯用冷媒伝熱管２３ｂに冷媒温度を検知する温度センサ５８を備える。
【００５５】
熱媒体回路９には、タンク内第２熱交換器７０からの熱媒体の温度を検知する温度センサ７６と、中間熱交換器２３への熱媒体往き温度を検知する温度センサ７７と、中間熱交換器２３からの熱媒体戻り温度を検知する温度センサ７８とを備える。
【００５６】
前記中間熱交換器２３は、空気温度調節用冷媒回路５の管路の一部と、給湯用冷媒回路６の管路の一部と、熱媒体回路７の管路の一部とを互いに隣り合わせ一体に構成したものであり、三流体熱交換器とも称することができる。
【００５７】
制御装置２０は、図示しないリモコンと、各温度センサの信号とを入力し、これらの信号に基づいて、圧縮機２１、４１と、四方弁２２と、膨張弁２４、２７、４３、４４と、循環ポンプ３３、５２、６３、７３などの制御を行う。
【００５８】
以上のように構成する空調給湯システム１００の給湯運転、暖房運転及び冷房運転の動作について、以下に説明する。図２に各運転モードの状態表、図３〜図１４に各運転モードの冷媒、水及び熱媒体の流れを示す系統図を示す。
【００５９】
まず、図３の＜１＞運転モードＮｏ．１−０の給湯・暖房運転について説明する。このモードは、給湯及び暖房の熱源として空気熱を用いる。図３に冷媒、水及び熱媒体の流れを示す。このとき、空気温度調節用冷媒回路５の膨張弁２４、給湯用冷媒回路６の膨張弁４３は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。熱媒体回路７は動作しない。
【００６０】
空気温度調節用冷媒回路５では、圧縮機２１で圧縮され高温高圧となったガス冷媒は、四方弁２２を通って、利用側熱交換器２８の空気温度調節用冷媒伝熱管２８ａに流入する。空気温度調節用冷媒伝熱管２８ａ内を流れる高温高圧のガス冷媒は、空気温度調節用熱媒体伝熱管２８ｂ内を流れる熱媒体により冷却される（冷媒の種類によっては、凝縮し、液化する）。この高圧の冷媒は膨張弁２７で減圧され、低温低圧の冷媒（冷媒の種類によっては、気液二相冷媒）となり、空気温度調節用空気熱交換器２５において、ファン２６により送られてくる室外空気により加熱され（冷媒の種類によっては、蒸発し）、低圧のガス冷媒となる。この低圧のガス冷媒は、四方弁２２を通って、再び圧縮機２１に戻る。
【００６１】
空気温度調節用熱媒体回路８ａでは、循環ポンプ３３の運転によって吐出された熱媒体は、配管３４を通って、利用側熱交換器２８の空気温度調節用熱媒体伝熱管２８ｂに流入する。空気温度調節用熱媒体伝熱管２８ｂ内を流れる熱媒体は、空気温度調節用冷媒伝熱管２８ａ内を流れる高温の冷媒により加熱され昇温する。温度の上昇した熱媒体は、往き配管２９、３０を通って、室内熱交換器３１において、室内空気により冷却され、温度低下する。このとき、室内空気を加熱することにより暖房を行う。温度の低下した熱媒体は、戻り配管３２を通って、再び循環ポンプ３３に戻る。
【００６２】
給湯用冷媒回路６では、圧縮機４１で圧縮され高温高圧となったガス冷媒は、利用側熱交換器４２の給湯用冷媒伝熱管４２ａに流入する。給湯用冷媒伝熱管４２ａ内を流れる高温高圧のガス冷媒は、給湯用水伝熱管４２ｂ内を流れる水により冷却される（冷媒の種類によっては、凝縮し、液化する）。この高圧の冷媒は膨張弁４４で減圧され、低温低圧の冷媒（冷媒の種類によっては、気液二相冷媒）となり、給湯用空気熱交換器４５において、ファン４６により送られてくる室外空気により加熱され（冷媒の種類によっては、蒸発し）、低圧のガス冷媒となり、再び圧縮機４１に戻る。
【００６３】
給湯回路９では、循環ポンプ５２の運転により給湯タンク５０の下部から流出した水は、往き配管５１を通り、利用側熱交換器４２の給湯用水伝熱管４２ｂに流入する。給湯用水伝熱管４２ｂ内を流れる水は、給湯用冷媒伝熱管４２ａ内を流れる高温の冷媒により加熱され昇温し、戻り配管５３を通って、給湯タンク５０の上部に戻され、高温の湯が貯湯される。
【００６４】
次に、図４の＜２＞運転モードＮｏ．１−１の給湯・暖房運転ついて説明する。このモードは、前記中間熱交換器２３を前記空気温度調節用冷媒回路５の蒸発器として機能させるとともに、前記給湯用冷媒回路６の蒸発器として機能させ、前記中間熱交換器２３において前記空気温度調節用冷媒回路５及び給湯用冷媒回路６を循環する冷媒に対して前記熱媒体回路７を循環する熱媒体の温熱を与えることにより、前記空気温度調節用冷媒回路５による空気加熱運転（即ち、冷房運転）及び前記給湯用冷媒回路６による給湯運転を行うものである。
【００６５】
具体的には、給湯及び暖房の熱源として蓄熱タンク６０内の温水を用いる。なお、蓄熱タンク６０内の温水は、太陽熱集熱用熱媒体回路１０により太陽熱により加熱されたものである。図４に冷媒、水及び熱媒体の流れを示す。このとき、空気温度調節用冷媒回路５の膨張弁２７、給湯用冷媒回路６の膨張弁４４は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。
【００６６】
空気温度調節用熱媒体回路８ａでの動作は、前述の＜１＞運転モードＮｏ．１−０の場合と同じである。
【００６７】
給湯用冷媒回路６では、圧縮機４１で圧縮され高温高圧となったガス冷媒は、利用側熱交換器４２の給湯用冷媒伝熱管４２ａに流入する。給湯用冷媒伝熱管４２ａ内を流れる高温高圧のガス冷媒は、給湯用水伝熱管４２ｂ内を流れる水により冷却される（冷媒の種類によっては、凝縮し、液化する）。この高圧の冷媒は膨張弁４３で減圧され、低温低圧の冷媒（冷媒の種類によっては、気液二相冷媒）となり、中間熱交換器２３の給湯用冷媒伝熱管２３ｂにおいて、熱媒体伝熱管２３ｃ内を流れる熱媒体により加熱され（冷媒の種類によっては、蒸発し）、低圧のガス冷媒となり、再び圧縮機４１に戻る。
【００６８】
給湯回路９での動作は、前述の＜１＞運転モードＮｏ．１−０の場合と同じである。
【００６９】
熱媒体回路７では、蓄熱タンク６０内の第２熱交換器７０において加熱された熱媒体は、循環ポンプ７３の運転により、往き配管７１ａを通り、中間熱交換器２３の熱媒体伝熱管２３ｃに流入する。熱媒体伝熱管２３ｃ内を流れる熱媒体は、空気温度調節用冷媒伝熱管２３ａ内及び給湯用冷媒伝熱管２３ｂ内を流れる低温の冷媒により冷却され温度低下し、戻り配管７２ａを通って、再び蓄熱タンク６０内の第２熱交換器７０に戻る。
【００７０】
次に、給湯・冷房運転のモードについて説明する。このモードは、前記中間熱交換器２３を前記空気温度調節用冷媒回路５の凝縮器として機能させるとともに、前記給湯用冷媒回路６の蒸発器として機能させ、前記中間熱交換器２３において給湯用冷媒回路６を循環する冷媒に対して前記空気温度調節用冷媒回路５を循環する冷媒の温熱を与えることにより、前記空気温度調節用冷媒回路５による空気冷却運転（即ち、冷房運転）及び前記給湯用冷媒回路６による給湯運転を行うものである。
【００７１】
具体的には、前記空気温度調節用冷媒回路５において前記中間熱交換器２３と並列に配置される空気温度調節用空気熱交換器２５と、前記給湯用冷媒回路６において前記中間熱交換器２３と並列に配置される給湯用空気熱交換器４５とを用い、給湯用冷媒回路６を循環する冷媒の前記中間熱交換器２３における必要熱量と前記空気温度調節用冷媒回路５を循環する冷媒の前記中間熱交換器２３における放熱量とが吊り合わない場合、不足する熱を前記空気温度調節用空気熱交換器２５又は給湯用空気熱交換器４５における熱交換により補うものが考えられる。
【００７２】
図５の＜３＞運転モードＮｏ．２−０ａは、給湯のための熱源（吸熱）が冷房の放熱より大きい場合であり、給湯の熱源として冷房の放熱及び空気熱を用いる。図５に冷媒、水及び熱媒体の流れを示す。このモードは、給湯の吸熱量が冷房の放熱量より大きくなる給湯・冷房運転にも対応可能である点で優れている。
【００７３】
このとき、空気温度調節用冷媒回路５の膨張弁２７は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。熱媒体回路７は動作しない。
【００７４】
空気温度調節用冷媒回路５では、圧縮機２１で圧縮され高温高圧となったガス冷媒は、四方弁２２を通って、中間熱交換器２３の空気温度調節用冷媒伝熱管２３ａに流入する。空気温度調節用冷媒伝熱管２３ａ内を流れる高温高圧のガス冷媒は、給湯用伝熱管２３ｂ内を流れる温度の低い冷媒により冷却される（冷媒の種類によっては、凝縮し、液化する）。この高圧の冷媒は膨張弁２４で減圧され、低温低圧の冷媒（冷媒の種類によっては、気液二相冷媒）となり、利用側熱交換器２８の空気温度調節用冷媒伝熱管２８ａに流入する。空気温度調節用冷媒伝熱管２８ａ内を流れる気液二相冷媒は、空気温度調節用熱媒体伝熱管２８ｂ内を流れる温度の高い熱媒体により加熱され（冷媒の種類によっては、蒸発し）、低圧のガス冷媒となる。この低圧のガス冷媒は、四方弁２２を通って、再び圧縮機２１に戻る。
【００７５】
空気温度調節用熱媒体回路８ａでは、循環ポンプ３３の運転によって吐出された熱媒体は、配管３４を通って、利用側熱交換器２８の空気温度調節用熱媒体伝熱管２８ｂに流入する。空気温度調節用熱媒体伝熱管２８ｂ内を流れる熱媒体は、空気温度調節用冷媒伝熱管２８ａ内を流れる低温の冷媒により冷却され温度低下する。温度の低下した熱媒体は、往き配管２９、３０を通って、室内熱交換器３１において、室内空気により加熱され、温度上昇する。このとき、室内空気を冷却することにより冷房を行う。温度の上昇した熱媒体は、戻り配管３２を通って、再び循環ポンプ３３に戻る。
【００７６】
給湯用冷媒回路６では、圧縮機４１で圧縮され高温高圧となったガス冷媒は、利用側熱交換器４２の給湯用冷媒伝熱管４２ａに流入する。給湯用冷媒伝熱管４２ａ内を流れる高温高圧のガス冷媒は、給湯用水伝熱管４２ｂ内を流れる水により冷却される（冷媒の種類によっては、凝縮し、液化する）。この高圧の冷媒は膨張弁４３及び４４で減圧される。このとき、膨張弁４３、４４は、中間熱交換器２３を流れる冷媒と給湯用空気熱交換器４５を流れる冷媒との流量比率の調整を行う。膨張弁４３で減圧され、低温低圧となった冷媒（冷媒の種類によっては、気液二相冷媒）は、中間熱交換器２３の給湯用冷媒伝熱管２３ｂにおいて、空気温度調節用冷媒伝熱管２３ａ内を流れる温度の高い冷媒により加熱され蒸発し、低圧のガス冷媒となる。一方、膨張弁４４で減圧され、低温低圧となった冷媒は、給湯用空気熱交換器４５において、ファン４６により送られてくる室外空気により加熱され（冷媒の種類によっては、蒸発し）、低圧のガス冷媒となる。中間熱交換器２３及び空気熱交換器を出たガス冷媒は再び圧縮機４１に戻る。このとき、給湯の熱源として冷房の排熱及び空気熱が使用される。
【００７７】
給湯回路９での動作は、前述の＜１＞運転モードＮｏ．１−０の場合と同じである。
【００７８】
図６の＜４＞運転モードＮｏ．２−０ｂは、給湯に必要な熱源（吸熱）が冷房の放熱より小さい場合であり、余分な冷房の放熱を空気に吸熱させる。図６に冷媒、水及び熱媒体の流れを示す。このとき、給湯用冷媒回路６の膨張弁４４は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。熱媒体回路７は動作しない。
【００７９】
空気温度調節用冷媒回路５では、圧縮機２１で圧縮され高温高圧となったガス冷媒は、四方弁２２を通って、中間熱交換器２３の空気温度調節用冷媒伝熱管２３ａ及び空気温度調節用空気熱交換器２５に流入する。空気温度調節用冷媒伝熱管２３ａに流入した高温高圧のガス冷媒は、給湯用伝熱管２３ｂ内を流れる温度の低い冷媒により冷却される（冷媒の種類によっては、凝縮し、液化する）。一方、空気温度調節用空気熱交換器２５に流入した高温高圧のガス冷媒は、ファン２５により送られてくる室外空気により冷却され凝縮し、液化する。中間熱交換器２３及び空気温度調節用空気熱交換器２５を出た高圧の冷媒はそれぞれ、膨張弁２４及び２７で減圧され、低温低圧の冷媒（冷媒の種類によっては、気液二相冷媒）となる。このとき、膨張弁２４、２５は中間熱交換器２３を流れる冷媒と空気温度調節用空気熱交換器２５を流れる冷媒との流量比率の調整を行う。低温低圧の冷媒は、利用側熱交換器２８の空気温度調節用冷媒伝熱管２８ａに流入し、空気温度調節用熱媒体伝熱管２８ｂ内を流れる温度の高い熱媒体により加熱され（冷媒の種類によっては、蒸発し）、低圧のガス冷媒となる。この低圧のガス冷媒は、四方弁２２を通って、再び圧縮機２１に戻る。このとき、給湯の熱源として利用されない余分な冷房の放熱を空気に吸熱させている。
【００８０】
空気温度調節用熱媒体回路８ａの動作は、前述の＜３＞運転モードＮｏ．２−０ａの場合と同じである。
【００８１】
給湯用冷媒回路６では、圧縮機４１で圧縮され高温高圧となったガス冷媒は、利用側熱交換器４２の給湯用冷媒伝熱管４２ａに流入する。給湯用冷媒伝熱管４２ａ内を流れる高温高圧のガス冷媒は、給湯用水伝熱管４２ｂ内を流れる水により冷却される（冷媒の種類によっては、凝縮し、液化する）。この高圧の冷媒は膨張弁４３で減圧され、低温低圧となった冷媒（冷媒の種類によっては、気液二相冷媒）は、中間熱交換器２３の給湯用冷媒伝熱管２３ｂにおいて、空気温度調節用冷媒伝熱管２３ａ内を流れる温度の高い冷媒により加熱され（冷媒の種類によっては、蒸発し）、低圧のガス冷媒となり、再び圧縮機４１に戻る。このとき、給湯の熱源として冷房の排熱が使用される。
【００８２】
給湯回路９での動作は、前述の＜１＞運転モードＮｏ．１−０の場合と同じである。
【００８３】
また、給湯・冷房運転のモードとしては、前記以外にも、給湯用冷媒回路６を循環する冷媒の前記中間熱交換器２３における必要熱量と前記空気温度調節用冷媒回路５を循環する冷媒の前記中間熱交換器２３における放熱量とが吊り合わない場合、不足する熱を前記熱媒体回路７を循環する熱媒体との熱交換により補うものが考えられる。
【００８４】
図７の＜５＞運転モードＮｏ．２−１は、給湯のための熱源（吸熱）が冷房の放熱より大きい場合であり、給湯の熱源として冷房の放熱及び蓄熱タンク６０内の温水を用いる。このモードは、給湯の吸熱量が冷房の放熱量より大きくなる給湯・冷房運転にも対応可能である点で優れている。
【００８５】
また、このモードは、＜３＞運転モードＮｏ．２−０ａの空気熱の代わりに温水を用いたものである。蓄熱タンク６０内の温水は、太陽熱集熱用熱媒体回路１０により太陽熱により加熱されたものである。図７に冷媒、水及び熱媒体の流れを示す。このとき、空気温度調節用冷媒回路５の膨張弁２７及び給湯用冷媒回路６の膨張弁４３は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。
【００８６】
空気温度調節用冷媒回路５及び空気温度調節用熱媒体回路８ａの動作は、前述の＜３＞運転モードＮｏ．２−０ａの場合と同じである。
【００８７】
給湯用冷媒回路６では、圧縮機４１で圧縮され高温高圧となったガス冷媒は、利用側熱交換器４２の給湯用冷媒伝熱管４２ａに流入する。給湯用冷媒伝熱管４２ａ内を流れる高温高圧のガス冷媒は、給湯用水伝熱管４２ｂ内を流れる水により冷却される（冷媒の種類によっては、凝縮し、液化する）。この高圧の冷媒は膨張弁４３で減圧され、低温低圧となった冷媒（冷媒の種類によっては、気液二相冷媒）は、中間熱交換器２３の給湯用冷媒伝熱管２３ｂにおいて、空気温度調節用冷媒伝熱管２３ａ内を流れる温度の高い冷媒、及び熱媒体伝熱管２３ｃ内を流れる温度の高い熱媒体により加熱され（冷媒の種類によっては、蒸発し）、低圧のガス冷媒となり、再び圧縮機４１に戻る。このとき、給湯の熱源として冷房の排熱及び温水が使用される。
【００８８】
給湯回路９での動作は、前述の＜１＞運転モードＮｏ．１−０の場合と同じである。
【００８９】
熱媒体回路７では、蓄熱タンク６０内の第２熱交換器７０において加熱された熱媒体は、循環ポンプ７３の運転により、往き配管７１ａを通り、中間熱交換器２３の熱媒体伝熱管２３ｃに流入する。熱媒体伝熱管２３ｃ内を流れる熱媒体は、給湯用冷媒伝熱管２３ｂ内を流れる低温の冷媒により冷却され温度低下し、戻り配管７２ａを通って、再び蓄熱タンク６０内の第２熱交換器７０に戻る。
【００９０】
なお、この＜５＞運転モードＮｏ．２−１は、給湯用冷媒回路６の低圧側冷媒が吸熱するモードであるため、蓄熱タンク６０内の水の温度が低圧側冷媒の温度（即ち、蒸発温度）より高い必要がある。
【００９１】
図８の＜６＞運転モードＮｏ．２−２は、給湯に必要な熱源（吸熱）が冷房の放熱より小さい場合であり、余分な冷房の放熱を蓄熱タンク６０内の冷水に吸熱させる。このモードは、＜４＞運転モードＮｏ．２−０ｂの空気に吸熱させる代わりに冷水に吸熱させたものである。
【００９２】
ここで、蓄熱タンク６０内の冷水は、後述の＜８＞運転モードＮｏ．３−１の給湯運転で冷却されたものである。例えば、夜に＜８＞運転モードＮｏ．３−１を行って、給湯運転するとともに冷水を生成し、昼に＜６＞運転モードＮｏ．２−２の給湯・冷房運転を行う際にこの冷熱を利用することが好ましい。
【００９３】
図８に冷媒、水及び熱媒体の流れを示す。このとき、空気温度調節用冷媒回路５の膨張弁２７及び給湯用冷媒回路６の膨張弁４３は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。
【００９４】
なお、この＜６＞運転モードＮｏ．２−２では、空気温度調節用冷媒回路５の給湯用冷媒が放熱するため、蓄熱タンク６０内の水の温度が給湯用冷媒の温度（凝縮温度）より低い必要がある。
【００９５】
空気温度調節用冷媒回路５では、圧縮機２１で圧縮され高温高圧となったガス冷媒は、四方弁２２を通って、中間熱交換器２３の空気温度調節用冷媒伝熱管２３ａに流入する。空気温度調節用冷媒伝熱管２３ａ内を流れる高温高圧のガス冷媒は、給湯用伝熱管２３ｂ内を流れる温度の低い冷媒、及び熱媒体伝熱管２３ｃ内を流れる温度の低い熱媒体によりにより冷却される（冷媒の種類によっては、凝縮し、液化する）。この高圧の冷媒は膨張弁２４で減圧され、低温低圧の冷媒（冷媒の種類によっては、気液二相冷媒）となり、利用側熱交換器２８の空気温度調節用冷媒伝熱管２８ａに流入する。空気温度調節用冷媒伝熱管２８ａ内を流れる冷媒は、空気温度調節用熱媒体伝熱管２８ｂ内を流れる温度の高い熱媒体により加熱され（冷媒の種類によっては、蒸発し）、低圧のガス冷媒となる。この低圧のガス冷媒は、四方弁２２を通って、再び圧縮機２１に戻る。このとき、給湯の熱源として利用されない余分な冷房の放熱を冷水に吸熱させている。
【００９６】
空気温度調節用熱媒体回路８ａでの動作は、前述の＜１＞運転モードＮｏ．１−０の場合と同じである。
【００９７】
また、給湯用冷媒回路６及び給湯回路９の動作は、前述の＜４＞運転モードＮｏ．２−０ｂの場合と同じである。
【００９８】
熱媒体回路７では、蓄熱タンク６０内の第２熱交換器７０において冷却された熱媒体は、循環ポンプ７３の運転により、往き配管７１ａを通り、中間熱交換器２３の熱媒体伝熱管２３ｃに流入する。熱媒体伝熱管２３ｃ内を流れる熱媒体は、空気温度調節用冷媒伝熱管２３ａ内を流れる高温の冷媒により加熱され温度上昇し、戻り配管７２ａを通って、再び蓄熱タンク６０内の第２熱交換器７０に戻る。
【００９９】
次に、図９の＜７＞運転モードＮｏ．３−０の給湯運転について説明する。このモードは、給湯の熱源として空気熱を用いる。図９に冷媒及び水の流れを示す。このとき、給湯用冷媒回路６の膨張弁４３は全閉で冷媒は流れない。空気温度調節用冷媒回路５、空気温度調節用熱媒体回路８ａ、８ｂ、熱媒体回路７は動作しない。
【０１００】
給湯用冷媒回路６及び給湯回路９での動作は、前述の＜１＞運転モードＮｏ．１−０の場合と同じである。
【０１０１】
次に、図１０の＜８＞運転モードＮｏ．３−１の給湯運転について説明する。このモードは、前記中間熱交換器２３を前記給湯用冷媒回路６の蒸発器として機能させ、前記中間熱交換器２３において前記給湯用冷媒回路６を循環する冷媒に対して前記熱媒体回路７を循環する熱媒体の温熱を与えることにより、給湯運転を行うものである。
【０１０２】
具体的には、給湯運転の熱源として蓄熱タンク６０内の温水を用いる。図１０に冷媒、水及び熱媒体の流れを示す。このとき、給湯用冷媒回路６の膨張弁４４は全閉で冷媒は流れない。空気温度調節用冷媒回路５、空気温度調節用熱媒体回路８ａ、８ｂは動作しない。
【０１０３】
給湯用冷媒回路６及び給湯回路９での動作は、前述の＜２＞運転モードＮｏ．１−１の場合と同じである。
【０１０４】
なお、＜８＞運転モードＮｏ．３−１の給湯運転は、エネルギー効率を考慮すると、給湯タンク５０内の沸上温度＞蓄熱タンク６０内の水温＞外気温度という関係が成立する場合に利用されるのが好ましい。
【０１０５】
熱媒体回路７では、蓄熱タンク６０内の第２熱交換器７０において加熱された熱媒体は、循環ポンプ７３の運転により、往き配管７１ａを通り、中間熱交換器２３の熱媒体伝熱管２３ｃに流入する。熱媒体伝熱管２３ｃ内を流れる熱媒体は、給湯用冷媒伝熱管２３ｂ内を流れる低温の冷媒により冷却され温度低下し、戻り配管７２ａを通って、再び蓄熱タンク６０内の第２熱交換器７０に戻る。このモードにより、蓄熱タンク６０内の水は冷却され、冷水となる。
【０１０６】
次に、図１１の＜９＞運転モードＮｏ．４−０の暖房運転について説明する。このモードは、暖房の熱源として空気熱を用いる。図１１に冷媒及び熱媒体の流れを示す。このとき、空気温度調節用冷媒回路６の膨張弁２４は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。給湯用冷媒回路６、給湯回路９、熱媒体回路７は動作しない。
【０１０７】
空気温度調節用冷媒回路５及び給湯用熱媒体回路８ａでの動作は、前述の＜１＞運転モードＮｏ．１−０の場合と同じである。
【０１０８】
次に、図１２の＜１０＞運転モードＮｏ．４−１の暖房運転について説明する。このモードは、前記中間熱交換器２３を前記空気温度調節用冷媒回路５の蒸発器として機能させ、前記中間熱交換器２３において前記空気温度調節用冷媒回路５を循環する冷媒に対して前記熱媒体回路７を循環する熱媒体の温熱を与えることにより、前記空気温度調節用冷媒回路による空気加熱運転（即ち、暖房運転）を行うものである。
【０１０９】
具体的には、暖房の熱源として蓄熱タンク６０内の温水を用いる。図１２に冷媒及び熱媒体の流れを示す。このとき、空気温度調節用冷媒回路６の膨張弁２７は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。給湯用冷媒回路６、給湯回路９は動作しない。
【０１１０】
空気温度調節用冷媒回路５及び給湯用熱媒体回路８ａでの動作は、前述の＜２＞運転モードＮｏ．１−１の場合と同じである。
【０１１１】
熱媒体回路７では、蓄熱タンク６０内の第２熱交換器７０において加熱された熱媒体は、循環ポンプ７３の運転により、往き配管７１ａを通り、中間熱交換器２３の熱媒体伝熱管２３ｃに流入する。熱媒体伝熱管２３ｃ内を流れる熱媒体は、空気温度調節用冷媒伝熱管２３ａ内を流れる低温の冷媒により冷却され温度低下し、戻り配管７２ａを通って、再び蓄熱タンク６０内の第２熱交換器７０に戻る。
【０１１２】
次に、図１３の＜１１＞運転モードＮｏ．５−０の冷房運転について説明する。このモードは、冷房の放熱を空気に吸熱させる。図１３に冷媒及び熱媒体の流れを示す。このとき、空気温度調節用冷媒回路６の膨張弁２４は全閉で冷媒は流れない。また、空気温度調節用熱媒体回路８ａの開閉弁３５ａは開で熱媒体を流し、空気温度調節用熱媒体回路８ｂの開閉弁３５ｂは閉で熱媒体を流さない。給湯用冷媒回路６、給湯回路９、熱媒体回路７は動作しない。
【０１１３】
空気温度調節用冷媒回路５では、圧縮機２１で圧縮され高温高圧となったガス冷媒は、四方弁２２を通って、空気温度調節用空気熱交換器２５に流入する。空気温度調節用空気熱交換器２５に流入した高温高圧のガス冷媒は、ファン２５により送られてくる室外空気により冷却される（冷媒の種類によっては、凝縮し、液化する）。この高圧の冷媒は膨張弁２７で減圧され、低温低圧となった冷媒（冷媒の種類によっては、気液二相冷媒）は、利用側熱交換器２８の空気温度調節用冷媒伝熱管２８ａに流入し、空気温度調節用熱媒体伝熱管２８ｂ内を流れる温度の高い熱媒体により加熱され（冷媒の種類によっては、蒸発し）、低圧のガス冷媒となる。この低圧のガス冷媒は、四方弁２２を通って、再び圧縮機２１に戻る。
【０１１４】
空気温度調節用熱媒体回路８ａの動作は、前述の＜３＞運転モードＮｏ．２−０ａの場合と同じである。
【０１１５】
次に、図１４の＜１２＞運転モードＮｏ．５−１の冷房運転について説明する。このモードは、前記中間熱交換器２３を前記空気温度調節用冷媒回路５の凝縮器として機能させ、前記中間熱交換器２３において空気温度調節用冷媒回路５を循環する冷媒に対して前記熱媒体回路７を循環する熱媒体の冷熱を与えることにより、前記空気温度調節用冷媒回路５による空気冷却運転（即ち、冷房運転）を行うものである。
【０１１６】
具体的には、冷房の放熱を蓄熱タンク６０内の冷水に吸熱させる。ここで、蓄熱タンク６０内の冷水は、前述の＜８＞運転モードＮｏ．３−１の給湯運転で、冷却されたものである。給湯運転で生成した冷熱を、時間をシフトして冷房運転時の冷熱源として使用するものである。即ち、例えば、夜に＜８＞運転モードＮｏ．３−１を行って、給湯するとともに冷水を生成し、昼に＜１２＞運転モードＮｏ．５−１の冷房運転を行う際にこの冷熱を利用することが好ましい。
【０１１７】
図１４に冷媒及び熱媒体の流れを示す。このとき、空気温度調節用冷媒回路６の膨張弁２７は全閉で冷媒は流れない。給湯用冷媒回路６、給湯回路９は動作しない。
【０１１８】
空気温度調節用冷媒回路５では、圧縮機２１で圧縮され高温高圧となったガス冷媒は、四方弁２２を通って、中間熱交換器２３の空気温度調節用冷媒伝熱管２３ａに流入する。空気温度調節用冷媒伝熱管２３ａ内を流れる高温高圧のガス冷媒は、熱媒体伝熱管２３ｃ内を流れる温度の低い熱媒体によりにより冷却される（冷媒の種類によっては、凝縮し、液化する）。この高圧の冷媒は膨張弁２４で減圧され、低温低圧となった冷媒（冷媒の種類によっては、気液二相冷媒）は、利用側熱交換器２８の空気温度調節用冷媒伝熱管２８ａに流入し、空気温度調節用熱媒体伝熱管２８ｂ内を流れる温度の高い熱媒体により加熱され（冷媒の種類によっては、蒸発し）、低圧のガス冷媒となる。この低圧のガス冷媒は、四方弁２２を通って、再び圧縮機２１に戻る。
【０１１９】
空気温度調節用熱媒体回路８ａの動作は、前述の＜３＞運転モードＮｏ．２−０ａの場合と同じである。
【０１２０】
熱媒体回路７では、蓄熱タンク６０内の第２熱交換器７０において冷却された熱媒体は、循環ポンプ７３の運転により、往き配管７１ａを通り、中間熱交換器２３の熱媒体伝熱管２３ｃに流入する。熱媒体伝熱管２３ｃ内を流れる熱媒体は、空気温度調節用冷媒伝熱管２３ａ内を流れる高温の冷媒により加熱され温度上昇し、戻り配管７２ａを通って、再び蓄熱タンク６０内の第２熱交換器７０に戻る。
【０１２１】
以上、説明したように、前記構成によれば、熱媒体回路が空気温度調節用冷媒回路及び給湯用冷媒回路を循環する冷媒の熱（温熱又は冷熱）を蓄熱することができるため、各回路を同時に運転する場合だけでなく、異なる時間に運転する場合においても空気温度調節用冷媒回路及び給湯用冷媒回路の排熱を有効に利用することができるため、高いエネルギ効率を得ることができる。
【０１２２】
また、給湯及び空調の熱源として、太陽熱集熱器で得られた温熱を利用することができるため、高いエネルギ効率を得ることが可能である。計算で見積もると、年間で消費電力量を約４割削減できる。
【０１２３】
また、給湯だけ運転する場合、空気温度調節用冷媒回路は運転せず、給湯用冷媒回路だけ運転すればよいので、無駄なエネルギ消費を削減することができる。
【０１２４】
また、給湯・冷房運転時、給湯の吸熱量が冷房の放熱量より大きい場合も、給湯用冷媒回路の空気熱交換器で空気熱を利用できるため、給湯の吸熱と冷房の放熱量の大小に関わらず運転が可能である。
【０１２５】
また、中間熱交換器２３は、空気温度調節用冷媒伝熱管２３ａと、給湯用冷媒伝熱管２３ｂと、熱媒体伝熱管２３ｃとがお互いに熱的に接触するように一体に構成されている三流体熱交換器であるため、給湯用冷媒伝熱管と給湯用冷媒伝熱管との二流体熱交換器と、給湯用冷媒伝熱管と熱媒体伝熱管との二流体熱交換器と、空気温度調節用冷媒伝熱管と熱媒体伝熱管との二流体熱交換器とを備えた場合より、熱交換器の数が少なくでき、コスト及び機器容積を小さくできる。
【０１２６】
また、冷媒回路の排温冷熱及び太陽熱等の温冷熱源を有効に利用できる運転モードを複数備えることにより、高いエネルギ効率を得ることができる。
【０１２７】
次に、本発明の第１の実施例に係る前記中間熱交換器２３について、図１５〜１７を用いて説明する。図１５は本実施例の中間熱交換器２３を、平面図の形態で示す説明図である。図１６は図１５のＡ−Ａ’における断面図である。図１７は本実施例の中間熱交換器２３の端部を縦方向に切断して示す、図１６のＢ−Ｂ’における断面図である。
【０１２８】
中間熱交換器２３は、1本の外管内に４本の内管を設けた構成である。４本の内管２３ａ、２３ｂは、外管２３ｃの中心軸方向（長手方向）に直交する断面、即ち、図１６に示す断面において、互いに隣り合う４本の内管の断面中心を直線で結んだ図形が正方形（四角形）を形成するように配列されている。４本の内管のうち２本（所定本数）が空気温度調節用冷媒伝熱管（空気温度調節用冷媒回路用伝熱管）２３ａであり、残りの２本の内管が給湯用冷媒伝熱管（給湯用冷媒回路用伝熱管）２３ｂである。そして、空気温度調整用冷媒伝熱管２３ａの断面中心と給湯用冷媒伝熱管２３ｂの断面中心とが、正方形の対角に位置するようにして、４本の内管が、外管である熱媒体伝熱管２３ｃの内部に配列されている。
【０１２９】
なお、本実施例において、熱媒体伝熱管２３ｃが第１の伝熱管であり、２本の空気温度調節用冷媒伝熱管２３ａが第２の伝熱管であり、２本の給湯用冷媒伝熱管２３ｂが第３の伝熱管である。
【０１３０】
これらの伝熱管２３ａ、２３ｂ、２３ｃはいずれも円管であり、空気温度調節用冷媒伝熱間２３ａと給湯用冷媒伝熱管２３ｂは同じ内径を有する円管である。そして、隣り合う空気温度調節用冷媒伝熱管２３ａと給湯用冷媒伝熱管２３ｂとの接合部１０１は、ロウ付けによって接合されているが、対角に位置する空気温度調節用冷媒伝熱管２３ａ同士は図１６における上下方向に間隔を空けて配列されているとともに、対角に位置する給湯用冷媒伝熱管２３ｂ同士は図１６における左右方向に間隔を空けて配列されている。つまり、空気温度調節用冷媒伝熱管２３ａと給湯用冷媒伝熱管２３ｂとはロウ付けによって接合されているものの、空気温度調節用冷媒伝熱管２３ａ同士は直接接合されておらず、同様に、給湯用冷媒伝熱管２３ｂ同士も直接接合されていない。
【０１３１】
この構造により、例えばＮｏ．２−０ａやＮｏ．２−０ｂに示されるような、外管内に熱媒体回路７の冷温水が流通せず、内管を流通する低温側冷媒と高温側冷媒とが熱交換をおこなう運転パターンにおいては、内管の伝熱管同士が接合部１０１によって接合しているため、これを介して低温側冷媒と高温側冷媒とが熱交換可能である。またこの運転パターンにおいては、低温側冷媒と高温側冷媒とは対向流であることが望ましい。これにより伝熱性能をさらに向上させることができる。
【０１３２】
また、本実施例では空気温度調整用冷媒伝熱管２３ａと、高温側伝熱管（給湯用冷媒伝熱管）２３ｂをそれぞれ２本ずつ設けている。内管を複数本ずつ設けることで、空気温度調整用冷媒伝熱管２３ａと給湯用冷媒伝熱管２３ｂとの接合部１０１が増えるため、低温側冷媒と高温側冷媒の伝熱性能を向上が可能である。
【０１３３】
また、例えばＮｏ．３−１やＮｏ．４−１やＮｏ．５−１に示される、外管を流通する熱媒体伝熱管２３ｃと、内管を流通する空気温度調整用冷媒伝熱管２３ａもしくは給湯用冷媒伝熱管２３ｂのうちのどちらか、が熱交換をおこなうような運転パターンにおいては、外管と内管との熱交換となるため、熱交換が可能である。また、内管を複数本ずつ設けているので、伝熱管の本数を１本ずつとした場合と比較し、外管と内管との伝熱面積が増えるため、伝熱性能を向上させることができる。またこのとき、冷媒と熱媒体の流れの向きは、対向流であることが望ましい。これにより伝熱性能をさらに向上させることができる。また、本実施例の中間熱交換器２３は、内管２３ａ、２３ｂ、外管２３ｃともに円管であるため、低コストで製造でき、耐圧性に優れた熱交換器である。
【０１３４】
次に、本発明の第２実施例に係る中間熱交換器２３について、図１８を参照しながら説明する。本実施例に係る中間熱交換器２３は、内管の内径が異なっている点に特徴がある。より具体的に言うと、本実施例では、空気温度調節用冷媒伝熱管２３ａの内径が給湯用冷媒伝熱管２３ｂの内径に比べて大きくなっている。この構成により、熱交換する冷媒間で物性や循環流量により圧力損失が大きく異なる場合であっても、内管内での圧力損失を低減することができるため、省エネ性を高めることができる。
【０１３５】
なお、本実施例に係る内管も、第１実施例と同様の配列となっている。即ち、図１８に示す断面において、互いに隣り合う４本の内管の断面中心を直線で結んだ図形が菱形（四角形）を形成するように配列されている。４本の内管のうち２本が空気温度調節用冷媒伝熱管２３aであり、残りの２本の内管が給湯用冷媒伝熱管２３bである。そして、空気温度調整用冷媒伝熱管２３ａの断面中心と給湯用冷媒伝熱管２３ｂの断面中心とが、菱形の対角に位置するようにして、４本の内管が、外管である熱媒体伝熱管２３ｃの内部に配列されている。
【０１３６】
次に、本発明の第３実施例に係る中間熱交換器２３について、図１９を参照しながら説明する。本実施例に係る中間熱交換器２３は、１本の外管内に４本の内管を設けた構成である。内管のうち２本が空気温度調整用冷媒伝熱管２３ａであり、残りの２本の内管が給湯用冷媒伝熱管２３ｂであり、外管は熱媒体伝熱管２３ｃである。外管の形状は円管である。４本の内管は矩形管で、一体成型されている。そのため内管は管側面が接合部１０１となっている。また伝熱管は、給湯用冷媒伝熱管２３ｂと空気温度調整用冷媒伝熱管２３aとが隣り合うように配置されている。
【０１３７】
なお、本実施例に係る内管も、第１実施例と同様に、４本の内管の断面中心を直線で結ぶと正方形が形成されるように内管が配列されている。また一体成型された内管の端部（角部）は、外管の内周面に物理的に接触する構造となっている。つまり、一体成型された内管の対角に位置する角部を直線で結んだ対角線の長さと外管の直径が同じ長さとなっているのである。
【０１３８】
本実施例では、４本の矩形の内管を一体成型することにより、隣り合う内管同士の接合部１０１が大きくなり、内管内を流通する給湯用冷媒伝熱管２３ｂと空気温度調整用冷媒伝熱管２３aの冷媒の伝熱性能を向上させることができる。また、一体成型された内管の矩形の端部が外管に接触しているため、内管を外管の中央に配置することが容易である。これにより、外管を流れる熱媒体が内管の周囲を均等に流れることができるので、熱媒体と冷媒とが効率的に熱交換可能である。
【０１３９】
次に、本発明の第４実施例に係る中間熱交換器２３について、図２０を参照しながら説明する。本実施例に係る中間熱交換器２０は、１本の外管内に２本の内管を設けた構成である。内管のうち１本が空気温度調節用冷媒伝熱管２３ａであり、残りの１本の内管が給湯用冷媒伝熱管２３ｂであり、外管は熱媒体伝熱管２３ｃである。空気温度調節用冷媒伝熱管２３ａと給湯用冷媒伝熱管２３ｂとは、接合部１０１においてロウ付けによって接合されている。より詳細に説明すると、１本の空気温度調節用冷媒伝熱管２３ａの断面中心と１本の給湯用冷媒伝熱管２３ｂの断面中心を結んだ直線が鉛直方向に沿うように、２本の内管が上下に配置されており、上側に位置する空気温度調節用冷媒伝熱管２３ａと下側に位置する給湯用冷媒伝熱管２３ｂとが接触する部分をロウ付けにより接合しているのである。なお、２本の内管は同一内径の円管である。
【０１４０】
本実施例によれば、構成が単純であるため、安価で簡易に中間熱交換器２３を製作できる。また、内管の本数が少ないため、内管を内包する外管の径を縮小することが可能であり、中間熱交換器２３を小型化できるうえ、システムのコンパクト化を図ることができる。
【０１４１】
次に、本発明の第５実施例に係る中間熱交換器２３について、図２１を参照しながら説明する。本実施例に係る中間熱交換器２３は、１本の外管内に４本の内管を設けた構成である。内管のうち２本が空気温度調整用冷媒伝熱管２３ａであり、残りの２本の内管が給湯用冷媒伝熱管２３ｂであり、外管は熱媒体伝熱管２３ｃである。内管の配置は、異なる冷媒が流通する伝熱管がそれぞれ隣接するようになっている。この内管の配置については、第１実施例と同じである。
【０１４２】
ここで、本実施例での大きな特徴は、内管の接合方法にある。即ち、上記した第１実施例、第２実施例、第４実施例では、内管の接合に冶金的な接合方法であるロウ付けが用いられていたが、本実施形態では、機械的な接合方法であるバンド１０２による結束が用いられている点に大きな特徴がある。具体的に言うと、本実施例における４本の内管は、束状にまとめられ、外周囲がバンド１０２で固定されている。この構成により、隣り合う空気温度調整用冷媒伝熱管２３ａの側面と給湯用冷媒伝熱管２３ｂの側面とが接合部１０１において物理的に接合することとなる。なお、４本の内管は同一内径の円管が用いられている。
【０１４３】
本実施例によれば、ロウ剤が不要となるため、内管の製作工程が短縮されるうえ、内管を低コストで製作することができる。また、伝熱管が直接接しているために、ロウ剤を介して熱交換する場合と比較し、熱抵抗を低減することができる。
【０１４４】
次に、本発明の第６実施例に係る中間熱交換器２３について、図２２を参照しながら説明する。本実施例に係る中間熱交換器２３は、１本の外管内に３本の内管を設けた構成である。内管のうち２本が空気温度調整用冷媒伝熱管２３ａであり、残りの１本の内管が給湯用冷媒伝熱管２３ｂであり、外管は熱媒体伝熱管２３ｃである。３本の内管は、外管２３ｃの中心軸方向（長手方向）に直交する断面、即ち、図２２に示す断面において、２本の空気温度調節用冷媒伝熱管２３ａの断面中心と１本の給湯用冷媒伝熱管２３ｂの断面中心とを直線で結ぶと正三角形（三角形）が形成されるように配列されている。そして、隣り合う空気温度調節用冷媒伝熱管２３ａと給湯用冷媒伝熱管２３ｂとは接合部１０１において、ロウ付けによって接合されているとともに、隣り合う空気温度調節用冷媒伝熱管２３ａ同士も、接合部１０１において、ロウ付けによって接合されている。
【０１４５】
本実施例によれば、内管を流通する２種類の冷媒間で、流量もしくは圧力の差が大きい場合、それに応じて伝熱管の本数を変えることにより、圧力損失を抑制できる。
【０１４６】
次に、本発明の第７実施例に係る中間熱交換器２３について、図２３を参照しながら説明する。本実施例に係る中間熱交換器２３は、１本の外管内に３本の内管を設けた構成である。内管のうち２本が空気温度調整用冷媒伝熱管２３ａであり、残りの１本の内管が給湯用冷媒伝熱管２３ｂであり、外管は熱媒体伝熱管２３ｃである。３本の内管の配列は、上記した第６実施例と同様である。即ち、外管２３ｃの中心軸方向（長手方向）に直交する断面、即ち、図２３に示す断面において、２本の空気温度調節用冷媒伝熱管２３ａの断面中心と１本の給湯用冷媒伝熱管２３ｂの断面中心とを直線で結ぶと二等辺三角形（三角形）が形成されるように配列されている。
【０１４７】
そして、異なる冷媒が流通する伝熱管同士、即ち、空気温度調整用冷媒伝熱管２３ａと給湯用冷媒伝熱管２３ｂは接合部１０１においてロウ付けにより接合され、同じ冷媒が流通する伝熱管同士、即ち、空気温度調節用冷媒伝熱管２３ａ同士はその間に冷温水が流通するよう、間隔を空けて配列されている。
【０１４８】
本実施例によれば、内管と外管との熱交換を行うような運転モードにおいては、同じ冷媒が流通する伝熱管同士は接合部を持たないため、接合部がない分外管と内管との伝熱面積が増加し、伝熱性能を向上させることができる。
【０１４９】
以上、説明したように、本実施例に係る空調給湯システムは、上記した中間熱交換器２３を用いることにより、空調・給湯負荷の大小にかかわらず、空調機と給湯機を高いエネルギ効率で任意に同時運転可能なシステムである。また、空調や給湯の熱源として、太陽熱や地熱等の自然エネルギを利用することができるため、空調給湯システムの省エネ性をさらに高めることができる。
【符号の説明】
【０１５０】
５…低温側冷媒回路（空気温度調節用冷媒回路）、６…高温側冷媒回路給（湯用冷媒回路）、７…熱源用ブライン回路（熱媒体回路）、２３…中間熱交換器、２３ａ…空気温度調節用冷媒伝熱管（空気温度調節用冷媒回路用伝熱管）、２３ｂ…給湯用冷媒伝熱管（給湯用冷媒回路用伝熱管）、２３ｃ…熱媒体伝熱管（熱媒体回路用伝熱管）、１００…空気給湯システム、１０１…接合部
【図１】
0005474483.tif 000002
【図２】
0005474483.tif 000003
【図３】
0005474483.tif 000004
【図４】
0005474483.tif 000005
【図５】
0005474483.tif 000006
【図６】
0005474483.tif 000007
【図７】
0005474483.tif 000008
【図８】
0005474483.tif 000009
【図９】
0005474483.tif 000010
【図１０】
0005474483.tif 000011
【図１１】
0005474483.tif 000012
【図１２】
0005474483.tif 000013
【図１３】
0005474483.tif 000014
【図１４】
0005474483.tif 000015
【図１５】
0005474483.tif 000016
【図１６】
0005474483.tif 000017
【図１７】
0005474483.tif 000018
【図１８】
0005474483.tif 000019
【図１９】
0005474483.tif 000020
【図２０】
0005474483.tif 000021
【図２１】
0005474483.tif 000022
【図２２】
0005474483.tif 000023
【図２３】
0005474483.tif 000024